【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
複数の記録素子それぞれに対応してインクを吐出するために設けられた第１のヒータと前記第１のヒータとは別に記録ヘッドを加熱するために設けられた第２のヒータとを備えた前記記録ヘッドを用い、記録媒体にインクを吐出して記録を行う記録装置であって、
前記第２のヒータを駆動するために用いる、デューティの異なる複数の駆動信号を格納する記憶手段と、
動作モードを入力する入力手段と、
前記入力手段によって入力された動作モードに基づいて、前記第１のヒータを駆動することで記録に用いられる第１の電力を算出する算出手段と、
前記算出手段により算出された第１の電力と、前記第１のヒータにインク吐出を生じさせない程度のパルスを投入して前記第１のヒータを駆動して前記記録ヘッドを加熱するために用いられる第２の電力とに基づいて、前記記憶手段に格納された前記複数の駆動信号から適切な駆動信号を選択する選択手段と、
前記選択手段により選択された駆動信号により、前記記録ヘッドの記録動作中と前記記録ヘッドが記録動作していない時間に前記第２のヒータを駆動して前記記録ヘッドを加熱するよう制御することが可能である制御手段とを有することを特徴とする記録装置。
【請求項２】
前記記録ヘッドは交換が可能であって、前記記録ヘッドには当該記録ヘッドの特性を示すヘッドランクを格納した不揮発性メモリが内蔵されており、
前記入力手段は、前記記録装置への電源が投入された場合と、記録ヘッドが取り外された後に装着された場合には、該装着された記録ヘッドからヘッドランクを入力し、
前記選択手段は、前記入力されたヘッドランクに基づいて、前記記憶手段に格納された前記複数の駆動信号から適切な駆動信号を選択することを特徴とする請求項１に記載の記録装置。
【請求項３】
前記制御手段はさらに、前記記録ヘッドが記録動作していない時間に、前記第１のヒータにインク吐出を生じさせない程度のパルスを投入して前記第１のヒータを駆動して前記記録ヘッドを加熱することを特徴とする請求項１又は２に記載の記録装置。
【請求項４】
前記制御手段は、前記記録ヘッドの記録動作中には、画像データに依存した前記第１のヒータを駆動して記録に用いられる電力に基づいて、前記第２のヒータを駆動して前記記録ヘッドを加熱するよう制御することを特徴とする請求項１乃至３のいずれか１項に記載の記録装置。
【請求項５】
前記選択手段は、前記記録ヘッドに割当てられた電力の範囲の中で、前記選択を行うことを特徴とする請求項１乃至４のいずれか１項に記載の記録装置。
【請求項６】
前記記録ヘッドを搭載するキャリッジを往復移動させる走査手段をさらに有し、
前記記録ヘッドが記録動作していない時間とは、前記走査手段による前記キャリッジの移動が往路走査から復路走査に切り替わる間と、前記復路走査から前記往路走査に切り替わる間と、前記キャリッジのランプアップとランプダウンの間とを含むことを特徴とする請求項１乃至５のいずれか１項に記載の記録装置。
【請求項７】
前記動作モードは、モノクロ印刷モード、カラー印刷モード、高解像度印刷モード、高速印刷モードを含み、それぞれでの消費電力は異なることを特徴とする請求項１乃至６のいずれか１項に記載の記録装置。
【請求項８】
前記第２のヒータを駆動するために用いる複数の駆動信号おのおのは、ＰＷＭ駆動信号であり、
前記デューティはＰＷＭ駆動信号の１周期あたりの前記ＰＷＭ駆動信号のパルスがＯＮしている時間の比率で定義されることを特徴とする請求項１乃至７のいずれか１項に記載の記録装置。
【請求項９】
前記制御手段による前記記録ヘッドの加熱は、前記記録ヘッドの温度が予め定められた温度に達しない場合に実行されることを特徴とする請求項１乃至８のいずれか１項に記載の記録装置。
【請求項１０】
複数の記録素子それぞれに対応してインクを吐出するために設けられた第１のヒータと前記第１のヒータとは別に記録ヘッドを加熱するために設けられた第２のヒータとを備えた前記記録ヘッドを用い、記録媒体にインクを吐出して記録を行う記録装置における記録ヘッドの温度制御方法であって、
動作モードを入力する入力工程と、
前記入力工程において入力された動作モードに基づいて、前記第１のヒータを駆動することで記録に用いられる第１の電力を算出する算出工程と、
前記算出工程において算出された第１の電力と、前記第１のヒータにインク吐出を生じさせない程度のパルスを投入して前記第１のヒータを駆動して前記記録ヘッドを加熱するために用いられる第２の電力とに基づいて、メモリに格納された前記第２のヒータを駆動するために用いる、デューティの異なる複数の駆動信号から適切な駆動信号を選択する選択工程と、
前記選択工程により選択された駆動信号により、前記記録ヘッドの記録動作中と前記記録ヘッドが記録動作していない時間に前記第２のヒータを駆動して前記記録ヘッドを加熱するよう制御する制御工程とを有することを特徴とする記録ヘッドの温度制御方法。
【手続補正２】
【補正対象書類名】明細書
【補正対象項目名】００１１
【補正方法】変更
【補正の内容】
【００１１】
即ち、複数の記録素子それぞれに対応してインクを吐出するために設けられた第１のヒータと前記第１のヒータとは別に記録ヘッドを加熱するために設けられた第２のヒータとを備えた前記記録ヘッドを用い、記録媒体にインクを吐出して記録を行う記録装置であって、前記第２のヒータを駆動するために用いる、デューティの異なる複数の駆動信号を格納する記憶手段と、動作モードを入力する入力手段と、前記入力手段によって入力された動作モードに基づいて、前記第１のヒータを駆動することで記録に用いられる第１の電力を算出する算出手段と、前記算出手段により算出された第１の電力と、前記第１のヒータにインク吐出を生じさせない程度のパルスを投入して前記第１のヒータを駆動して前記記録ヘッドを加熱するために用いられる第２の電力とに基づいて、前記記憶手段に格納された前記複数の駆動信号から適切な駆動信号を選択する選択手段と、前記選択手段により選択された駆動信号により、前記記録ヘッドの記録動作中と前記記録ヘッドが記録動作していない時間に前記第２のヒータを駆動して前記記録ヘッドを加熱するよう制御することが可能である制御手段とを有することを特徴とする。
【手続補正３】
【補正対象書類名】明細書
【補正対象項目名】００１２
【補正方法】変更
【補正の内容】
【００１２】
また本発明を別の側面から見れば、複数の記録素子それぞれに対応してインクを吐出するために設けられた第１のヒータと前記第１のヒータとは別に記録ヘッドを加熱するために設けられた第２のヒータとを備えた前記記録ヘッドを用い、記録媒体にインクを吐出して記録を行う記録装置における記録ヘッドの温度制御方法であって、動作モードを入力する入力工程と、前記入力工程において入力された動作モードに基づいて、前記第１のヒータを駆動することで記録に用いられる第１の電力を算出する算出工程と、前記算出工程において算出された第１の電力と、前記第１のヒータにインク吐出を生じさせない程度のパルスを投入して前記第１のヒータを駆動して前記記録ヘッドを加熱するために用いられる第２の電力とに基づいて、メモリに格納された前記第２のヒータを駆動するために用いる、デューティの異なる複数の駆動信号から適切な駆動信号を選択する選択工程と、前記選択工程により選択された駆動信号により、前記記録ヘッドの記録動作中と前記記録ヘッドが記録動作していない時間に前記第２のヒータを駆動して前記記録ヘッドを加熱するよう制御する制御工程とを有することを特徴とする記録ヘッドの温度制御方法を備える。